(57)【要約】【課題】漏斗体の落下口部に袋体の袋口部を外嵌装して抱締部材により抱締保持し、漏斗体の投入口部を介して種籾、米、肥料等の詰入物を袋体内に詰入し、所定量の詰入物を詰入したら、抱締部材を取り外し、袋体を漏斗体の落下口部から抜き取り、袋体を抜き去ったのち、退避機構により保持部材を袋詰め位置から退避位置へと退避回動させ、保持部材を退避位置に退避させた状態で袋体を袋詰め位置から移動させることができる。【解決手段】設置部材１に起立杆２を立設し、起立杆の上部に漏斗体Ｋを保持可能な保持部材４を設け、漏斗体の落下口部Ｋ3に袋体Ｗの袋口部Ｗ1を抱締保持可能な抱締部材３を設け、保持部材を袋詰め位置Ｆから退避位置Ｔへと退避回動させるための退避機構５を設けてなる。【選択図】図１
2005200045.tif 000002
【特許請求の範囲】
【請求項１】
設置部材に起立杆を立設し、該起立杆の上部に漏斗体を保持可能な保持部材を設け、該漏斗体の落下口部に袋体の袋口部を抱締保持可能な抱締部材を設け、該保持部材を袋詰め位置から退避位置へと退避回動させるための退避機構を設けてなることを特徴とする袋詰め補助スタンド。
【請求項２】
上記漏斗体の落下口部に上記抱締部材による袋体の袋口部の抱締保持位置の下方に位置して凸周鍔部を設けてなることを特徴とする請求項１記載の袋詰め補助スタンド。
【請求項３】
上記抱締部材は相互に着脱自在な面ファスナーをもつ抱締ベルトからなることを特徴とする請求項１又は２記載の袋詰め補助スタンド。
【請求項４】
上記起立杆は高低伸縮調節自在に設けられていることを特徴とする請求項１〜３のいずれか１項に記載の袋詰め補助スタンド。
【請求項５】
上記設置部材及び起立杆は分解自在に設けられていることを特徴とする請求項１〜４のいずれか１項に記載の袋詰め補助スタンド。
【発明の詳細な説明】
【技術分野】
【０００１】
本発明は例えば塩水選ネット袋への種籾の詰め入れ、保存袋への種籾や米等の穀類の詰め入れ、動力噴霧器、動力散布器への肥料の投入の際に用いられる袋詰め補助スタンドに関するものである。
【背景技術】
【０００２】
従来この種の袋詰め補助スタンドとして、設置部材に袋の袋口部を開口保持可能な開口保持部を設けてなる構造のものが知られている。
【特許文献１】特開平９−１３２２１６号公報
【発明の開示】
【発明が解決しようとする課題】
【０００３】
しかしながら上記従来構造の場合、袋内に詰入物を漏斗体を用いて詰入しようとすると、一人の作業者が漏斗体を持ち、もう一人の作業者が詰入物を投入することになり、このため、必ず二人の作業者で詰入作業を行わなければならず、詰入作業性が低下しているという不都合を有している。
【課題を解決するための手段】
【０００４】
本発明はこれらの不都合を解決することを目的とするもので、本発明のうちで、請求項１記載の発明は、設置部材に起立杆を立設し、該起立杆の上部に漏斗体を保持可能な保持部材を設け、該漏斗体の落下口部に袋体の袋口部を抱締保持可能な抱締部材を設け、該保持部材を袋詰め位置から退避位置へと退避回動させるための退避機構を設けてなることを特徴とする袋詰め補助スタンドにある。
【０００５】
又、請求項２記載の発明は、上記漏斗体の落下口部に上記抱締部材による袋体の袋口部の抱締保持位置の下方に位置して凸周鍔部を設けてなることを特徴とするものであり、又、請求項３記載の発明は、上記抱締部材は相互に着脱自在な面ファスナーをもつ抱締ベルトからなることを特徴とするものであり、又、請求項４記載の発明は、上記起立杆は高低伸縮調節自在に設けられていることを特徴とするものであり、又、請求項５記載の発明は、上記設置部材及び起立杆は分解自在に設けられていることを特徴とするものである。
【発明の効果】
【０００６】
本発明は上述の如く、請求項１記載の発明にあっては、漏斗体の落下口部に袋体の袋口部を外嵌装して抱締部材により抱締保持し、漏斗体の投入口部を介して種籾、米、肥料等の詰入物を袋体内に詰入し、所定量の詰入物を詰入したら、抱締部材を取り外し、袋体を漏斗体の落下口部から抜き取り、袋体を抜き去ったのち、退避機構により保持部材を袋詰め位置から退避位置へと退避回動させ、保持部材を退避位置に退避させた状態で袋体を袋詰め位置から移動させることができ、このため、一人の作業者で詰入作業を行うことができ、詰入作業性を高めることができ、かつ、保持部材を袋詰め位置から退避位置に退避させることができ、詰入された袋体を容易に取り出すことができ、袋詰め位置から移動させることができ、詰入作業性を高めることができる。
【０００７】
又、請求項２記載の発明は、上記漏斗体の落下口部に上記抱締部材による袋体の袋口部の抱締保持位置の下方に位置して凸周鍔部を設けているから、袋体の袋口部を抱締部材により抱締し、袋体内に詰入物が詰入され、詰入物の重量により袋体が下方に引っ張られて落下口部から抜けようとしたとしても、袋口部は凸周鍔部の存在によりく字状に強制的に折曲されているから、く字折曲部分により袋体の抜け落ちを防止することができ、又、請求項３記載の発明にあっては、上記抱締部材は相互に着脱自在な面ファスナーをもつ抱締ベルトからなるので、抱締及び解除を容易に行うことができ、又、請求項４記載の発明にあっては、上記起立杆は高低伸縮調節自在に設けられているから、袋体の高さ、作業者の作業姿勢等に対する使用の融通性を高めることができ、、又、請求項５記載の発明にあっては、上記設置部材及び起立杆は分解自在に設けられているから、不使用時や運搬時の利便性を高めることができる。
【発明を実施するための最良の形態】
【０００８】
図１乃至図９は本発明の実施の形態例を示し、１は設置部材であって、アルミニュウム管により形成され、平面コ状の脚枠１ａに桟杆１ｂを固着して形成され、この桟杆１ｂの中央部に起立杆２を立設している。
【０００９】
この場合、上記起立杆２は下部管２ａ及び上部管２ｂからなり、桟杆１ｂに嵌合体１ｃを立設し、嵌合体１ｃに下部管２ａを挿脱自在に設け、下部管２ａに下部管２ａを嵌合体１ｃに固定可能な止着ボルト２ｃを螺着し、上部管２ｂを下部管２ａに挿通して上部管２ｂを上下調節自在に設け、上部管２ｂに上部管２ｂを下部管２ａに固定可能な調節ボルト２ｄを設け、これにより起立杆２を高低伸縮調節自在に設けると共に設置部材１及び起立杆２を分解自在に設けて構成している。
【００１０】
Ｋは漏斗体であって、この場合、合成樹脂製にして、上部の大径の投入口部Ｋ1、開口周鍔部Ｋ2及び下部の小径の落下口部Ｋ3からなる。
【００１１】
３は抱締部材であって、この場合、可撓性材からなる抱締ベルト３ａの一方端部に折返環３ｂを取り付け、他方端部に相互に着脱自在な面ファスナー３ｃを設けて構成されている。
【００１２】
４は保持部材、５は退避機構であって、この場合、保持部材４は漏斗体Ｋの開口周鍔部Ｋ2の底面を載置可能な環状の帯リング状に形成され、上記起立杆２の上部に取付片５ａを固着し、取付片５ａに支点軸５ｂを横設し、保持部材４に連結片５ｃを固着し、この連結片５ｃを支点軸５ｂにより回動自在に枢着し、かつ、連結片５ｃに漏斗体Ｋを保持部材４に固定可能な止着機構６を設け、止着機構６は締付ボルト６ａの締付により締付板６ｂ及び弾性カラー６ｃを介して保持部材４とで開口周鍔部Ｋ2を挟着可能に設けると共に保持部材４にナット部材４ａを固着し、漏斗体Ｋの突鍔Ｋ4の穴に止着ボルト６ｄを挿通して止着ボルト６ｄをナット部材４ａに螺着して構成され、図８の如く、取付片５ａに保持部材４を袋詰め位置Ｆに保持可能なストッパー部５ｄを設けると共に図９の如く、取付片５ａに保持部材４を退避位置Ｔに保持可能なストッパー部５ｅを設け、これにより保持部材４を袋詰め位置Ｆから退避位置Ｔへと退避回動可能に設けて構成している。
【００１３】
７は凸周鍔部であって、この場合、リング材により形成され、上記漏斗体Ｋの落下口部Ｋ3に上記抱締部材３による袋体Ｗの袋口部Ｗ1の抱締保持位置Ｄの下方に位置してリベット７ａにより固着されている。
【００１４】
この実施の形態例は上記構成であるから、図１、図２、図４の如く、漏斗体Ｋの落下口部Ｋ3に袋体Ｗの袋口部Ｗ1を外嵌装して抱締部材３により抱締保持し、漏斗体Ｋの投入口部Ｋ1を介して種籾、米、肥料等の詰入物Ｍを袋体Ｗ内に詰入し、所定量の詰入物Ｍを詰入したら、抱締部材３を取り外し、袋体Ｗを漏斗体Ｋの落下口部Ｋ3から抜き取り、袋体Ｗを抜き去ったのち、図７の如く、退避機構５により保持部材４を袋詰め位置Ｆから退避位置Ｔへと退避回動さ、保持部材４を退避位置Ｔに退避させた状態で袋体Ｗを袋詰め位置Ｆから移動させることができ、このため、一人の作業者で詰入作業を行うことができ、詰入作業性を高めることができ、かつ、保持部材４を袋詰め位置Ｆから退避位置Ｔに退避させることができ、詰入された袋体Ｗを容易に取り出すことができ、袋詰め位置Ｆから移動させることができ、詰入作業性を高めることができる。
【００１５】
又、この場合、上記漏斗体Ｋの落下口部Ｋ3に上記抱締部材３による袋体Ｗの袋口部Ｗ1の抱締保持位置Ｄの下方に位置して凸周鍔部７を設けているから、図５の如く、袋体Ｗの袋口部Ｗ1を抱締部材３により抱締し、袋体Ｗ内に詰入物Ｍが詰入され、詰入物Ｍの重量により袋体Ｗが下方に引っ張られて落下口部Ｋ3から抜けようとしたとしても、袋口部Ｗ1は凸周鍔部７の存在によりく字状に強制的に折曲されているから、く字折曲部分により袋体Ｗの抜け落ちを防止することができ、又、この場合、上記抱締部材３は相互に着脱自在な面ファスナー３ｃをもつ抱締ベルト３ａからなるので、抱締及び解除を容易に行うことができ、又、この場合、上記起立杆２は高低伸縮調節自在に設けられているから、袋体Ｗの高さ、作業者の作業姿勢等に対する使用の融通性を高めることができ、、又、この場合、上記設置部材１及び起立杆２は分解自在に設けられているから、不使用時や運搬時の利便性を高めることができる。
【００１６】
尚、本発明は上記実施の形態例に限られるものではなく、設置部材１、起立杆２、抱締部材３、保持部材４、退避機構５の形状や構造等は適宜変更して設計されものである。
【００１７】
以上、所期の目的を充分達成することができる。
【図面の簡単な説明】
【００１８】
【図１】本発明の実施の形態例の全体斜視図である。
【図２】本発明の実施の形態例の使用状態の全体斜視図である。
【図３】本発明の実施の形態例の分解斜視図である。
【図４】本発明の実施の形態例の使用状態の側面図である。
【図５】本発明の実施の形態例の部分縦断面図である。
【図６】本発明の実施の形態例の部分斜視図である。
【図７】本発明の実施の形態例の使用状態の側面図である。
【図８】本発明の実施の形態例の部分縦断面図である。
【図９】本発明の実施の形態例の部分縦断面図である。
【符号の説明】
【００１９】
Ｋ    漏斗体
Ｋ2    開口周鍔部
Ｋ3    落下口部
Ｆ    袋詰め位置
Ｔ    退避位置
Ｗ    袋
Ｗ1    袋口部
Ｄ    抱締保持位置
Ｍ    詰入物
１    設置部材
２    起立杆
３    抱締部材
３ａ    抱締ベルト
３ｂ    折返環
３ｃ    面ファスナー
４    保持部材
５    退避機構
【図１】
2005200045.tif 000003
【図２】
2005200045.tif 000004
【図３】
2005200045.tif 000005
【図４】
2005200045.tif 000006
【図５】
2005200045.tif 000007
【図６】
2005200045.tif 000008
【図７】
2005200045.tif 000009
【図８】
2005200045.tif 000010
【図９】
2005200045.tif 000011